(57)【特許請求の範囲】
【請求項１】
画像供給装置から画像データを入力する入力部と、
指示体の位置を検出し、該検出した位置に関する情報を含む指示体情報を生成する検出部と、
前記指示体情報の処理に関するモードを第１モードまたは第２モードに設定する設定部と、
前記入力された画像データに基づいて生成される第１画像に、前記指示体情報に基づいて生成される第２画像を重ねて描画する描画部と、
前記第１モードが設定されている場合には前記指示体情報を前記描画部に出力する一方、前記第２モードが設定されている場合には前記指示体情報を前記画像供給装置に出力するように、前記描画部への出力および前記画像供給装置への出力を択一的に決定する選択部と、
前記第１モードから前記第２モードへの切替えが行われると前記第２画像を消去する描画制御部と
を有する表示装置。
【請求項２】
前記描画制御部は、前記切替えが行われた後、前記第１画像が更新されたことを検出すると前記第２画像の消去を実行する
ことを特徴とする請求項１に記載の表示装置。
【請求項３】
前記描画制御部は、前記切替えが行われた後、所定期間が経過した場合に、前記第２画像の消去を実行する
ことを特徴とする請求項１に記載の表示装置。
【請求項４】
前記描画制御部は、前記切替えが行われた後、第１画像が更新されることなく前記所定期間が経過した場合に、前記第２画像の消去を実行する
ことを特徴とする請求項３に記載の表示装置。
【請求項５】
前記第２画像を記憶する記憶部を更に備え、
前記描画制御部は、前記第２画像の消去を実行する前に、前記第２画像を前記記憶部に記憶する
ことを特徴とする請求項１ないし４のいずれか一つに記載の表示装置。
【請求項６】
画像供給装置から画像データを入力するステップと、
指示体の位置を検出し、該検出した位置に関する情報を含む指示体情報を生成するステップと、
前記指示体情報の処理に関するモードを第１モードまたは第２モードに設定するステップと、描画部に、前記入力された画像データに基づいて生成される第１画像に前記指示体情報に基づいて生成される第２画像を重ねて描画させるステップと、
前記第１モードが設定されている場合には、前記指示体情報を、前記描画部に出力する一方、前記第２モードが設定されている場合には前記指示体情報を前記画像供給装置に出力するように、前記描画部への出力および前記画像供給装置への出力を択一的に決定するステップと、
前記第１モードから前記第２モードへの切替えが行われると前記第２画像を消去するステップと
を有する表示制御方法。
【請求項７】
画像供給部と、
前記画像供給部から画像データを入力する入力部と、
指示体の位置を検出し、該検出した位置に関する情報を含む指示体情報を生成する検出部と、
前記指示体情報の処理に関するモードを第１モードまたは第２モードに設定する設定部と、
前記入力された画像データに基づいて生成される第１画像に、前記指示体情報に基づいて生成される第２画像を重ねて描画する描画部と、
前記第１モードが設定されている場合には前記指示体情報を前記描画部に出力する一方、前記第２モードが設定されている場合には前記指示体情報を前記画像供給部に出力するように、前記描画部への出力および前記画像供給部への出力を択一的に決定する選択部と、
前記第１モードから前記第２モードへの切替えが行われると前記第２画像を消去する描画制御部と
を有する表示システム。
【発明の詳細な説明】
【技術分野】
【０００１】
本発明は、表示装置、表示制御方法および表示システムに関する。
【背景技術】
【０００２】
表示装置には、表示領域に対して電子ペンや指などの指示体を用いて各種指示を入力する機能を有するものがある（特許文献１参照）。この機能によれば、背景画像への画像オブジェクト（いわゆるアノテーション）の描画のほか、アプリケーションウィンドウのスクロールなどアプリケーションに対する種々の操作を、表示装置を制御するコンピューターから離れた場所から行うことができる。例えば、文書作成アプリケーションやプレゼンテーション画像を表示するアプリケーションが実行されている状態で、表示されている画面（背景画像）に重ねて電子ペンを用いてアノテーションを描画することで、特定の箇所を聴衆に着目させることが行われる。
【０００３】
ここで、背景画像の内容が変更されると、描画されたアノテーションを消去する必要が生じることが多い。一般的に、アノテーションは特定の背景画像が特定の位置にある場合に意味をなすので、この関係性に変化が生じると、もはや存在意味がなくなるからである。
従来、ウィンドウのスクロールやアプリケーションの切替えやなどによって背景画像の内容が変化があると、一般的には、ユーザーは、指示体を用いて、表示されているアノテーションを削除するための操作を行う必要があった。背景画像が更新されるたびにこのような操作を行うのは、手間である。この点に関し、アプリケーションに、新しいページを表示する際は描画されていたアノテーションを強制的に消去する機能を持たせるという技術がある。
【先行技術文献】
【特許文献】
【０００４】
【特許文献１】特開２０１１-２５３３０６号公報
【発明の概要】
【発明が解決しようとする課題】
【０００５】
しかし、上記技術では、アノテーションの自動消去が機能するのは、一つのアプリケーションにおいて特定の操作（具体的には、ページ切替えに伴う表示画像の全体の変更・更新）に対してだけであって、ウィンドウのスクロールなどによって表示内容が部分的に変更されるような場合には機能しない。加えて、上記技術では、複数のアプリケーションを跨ぐような操作（アクティブアプリケーションの切替え操作など）が行われた結果として背景画像の内容が変更されアノテーションの効果がなくなるような場合にも、機能しない。
本発明は、合成表示されている画像を消去する操作を支援することを目的とする。
【課題を解決するための手段】
【０００６】
本発明は、画像供給装置から画像データを入力する入力部と、指示体の位置を検出し、該検出した位置に関する情報を含む指示体情報を生成する検出部と、前記指示体情報の処理に関するモードを第１モードまたは第２モードに設定する設定部と、前記入力された画像データに基づいて生成される第１画像に、前記指示体情報に基づいて生成される第２画像を重ねて描画する描画部と、前記第１モードが設定されている場合には前記指示体情報を前記描画部に出力する一方、前記第２モードが設定されている場合には前記指示体情報を前記画像供給装置に出力するように、前記描画部への出力および前記画像供給装置への出力を択一的に決定する選択部と、前記第１モードから前記第２モードへの切替えが行われると前記第２画像を消去する描画制御部とを有する表示装置を提供する。
この表示装置によれば、合成表示されている画像を消去する操作が支援される。
【０００７】
前記描画制御部は、前記切替えが行われた後、前記第１画像が更新されたことを検出すると前記第２画像の消去を実行してもよい。
この表示装置によれば、第１画像に変化があったことが確認された後、前記消去が実行される。
【０００８】
前記描画制御部は、前記切替えが行われた後、第１画像が更新されることなく所定期間が経過した場合に、前記第２画像の消去を実行してもよい。
この表示装置によれば、第１画像の更新がなされないまま一定時間が経過した場合にも第２画像が自動的に消去される。
【０００９】
前記表示装置は、前記第２画像を記憶する記憶部を更に備え、前記描画制御部は、前記第２画像の消去を実行する前に、前記第２画像を前記記憶部に記憶してもよい。
この表示装置によれば、一度表示された第２画像を事後的に利用することができる。
【００１０】
本発明は、また、画像供給装置から画像データを入力するステップと、指示体の位置を検出し、該検出した位置に関する情報を含む指示体情報を生成するステップと、前記指示体情報の処理に関するモードを第１モードまたは第２モードに設定するステップと、描画部に、前記入力された画像データに基づいて生成される第１画像に前記指示体情報に基づいて生成される第２画像を重ねて描画させるステップと、前記第１モードが設定されている場合には、前記指示体情報を、前記描画部に出力する一方、前記第２モードが設定されている場合には前記指示体情報を前記画像供給装置に出力するように、前記描画部への出力および前記画像供給装置への出力を択一的に決定するステップと、前記第１モードから前記第２モードへの切替えが行われると前記第２画像を消去するステップとを有する表示制御方法を提供する。
この表示制御方法によれば、合成表示されている画像を消去する操作が支援される。
【００１１】
本発明は、また、画像供給部と、前記画像供給部から画像データを入力する入力部と、指示体の位置を検出し、該検出した位置に関する情報を含む指示体情報を生成する検出部と、前記指示体情報の処理に関するモードを第１モードまたは第２モードに設定する設定部と、前記入力された画像データに基づいて生成される第１画像に、前記指示体情報に基づいて生成される第２画像を重ねて描画する描画部と、前記第１モードが設定されている場合には前記指示体情報を前記描画部に出力する一方、前記第２モードが設定されている場合には前記指示体情報を前記画像供給部に出力するように、前記描画部への出力および前記画像供給装置への出力を択一的に決定する選択部と、前記第１モードから前記第２モードへの切替えが行われると前記第２画像を消去する描画制御部とを有する表示システムを提供する。
この表示システムによれば、合成表示されている画像を消去する操作が支援される。
【図面の簡単な説明】
【００１２】
【図１】表示システム１００の概要を示す図。
【図２】ＰＣ２００の機能を示す図。
【図３】プロジェクター３００の機能を示す図。
【図４】プロジェクター３００の動作例（その１）を示す図。
【図５】画面ＳＣの例を示す図。
【図６】プロジェクター３００の動作例（その２）を示す図。
【図７】画面ＳＣの例を示す図。
【図８】画面ＳＣの例を示す図。
【図９】プロジェクター３００の動作例（その３）を示す図。
【発明を実施するための形態】
【００１３】
図１は表示システム１００の概要を示す。表示システム１００は、ＰＣ２００、プロジェクター３００、指示体４００、表示面５００を含む。ＰＣ２００は、文書作成アプリケーションや画像閲覧アプリケーションなどを実行可能な一般的なパーソナルコンピューターである。ＰＣ２００は、表示面５００で表示すべき画像（例えばＰＣ２００で実行中のアプリケーションの画面）のデータをＰＣ２００に接続されたプロジェクター３００に供給する。
プロジェクター３００は一般的なプロジェクターとしての機能を有し、ＰＣ２００から供給された画像データに基づく映像を表示面５００に投写する。表示面５００は、専用のスクリーンまたは壁面である。
【００１４】
指示体４００は、ユーザーによって把持される電子ペン等の入力デバイス、あるいはユーザー自身の手や指である。ユーザーは、指示体４００を用いて表示面５００内の位置を指定することで、表示面５００上に、ＰＣ２００から供給される画像データに基づく画像に重ねて画像オブジェクトを描画したり、ＰＣ２００で動作しているアプリケーションプログラムに当該位置に対応する動作を実現させたりすることができる。例えば、ＰＣ２００において文書閲覧アプリケーションが起動され、そのアプリケーションの関するウィンドウが表示されている場合、当該画面に重ねて線や図形（アノテーション）などの描画のほか、ウィンドウをスクロールしたり、他のアプリケーションの起動や切替え等が、指示体４００を操作することによって行われる。
【００１５】
図２は、ＰＣ２００の機能を示す。ＰＣ２００は、通信部２１０、画像処理部２４０、制御部２３０、表示部２６０、記憶部２５０、入力部２２０を含む。
通信部２１０は、通信インターフェースであって、送信部２１１および受信部２１２を含む。受信部２１２は、プロジェクター３００から指示体情報Ｄｐを受信して制御部２３０に供給する。送信部２１１は、画像処理部２４０から供給された画像情報Ｄｉをプロジェクター３００に送信する。
制御部２３０は、ＣＰＵ等のプロセッサーによって実現され、文書作成アプリケーションや画像閲覧アプリケーションなどの各種アプリケーションプログラムを実行する。さらに、制御部２３０は、受信部２１２から指示体情報Ｄｐを取得すると、指示体情報Ｄｐに含まれる座標情報を当該アプリケーションプログラムに引き渡す。位置座標に基づいてアプリケーションプログラムに規定された動作（ページの切替え、画面のスクロールなど）を特定する。そして、特定された動作が画面の更新を伴うものである場合は、画面の更新の命令を画像処理部２４０に出力する。
【００１６】
画像処理部２４０は、制御部２３０から供給される命令に基づいて、更新後の画面データに対応する画像情報Ｄｉを生成する。生成された画像情報Ｄｉは、表示部２６０および送信部２１１に供給される。
表示部２６０は、液晶ディスプレイ等の表示装置である。
入力部２２０はキーボードやマウスなどの入力装置であって、ユーザーの指示や命令を制御部２３０に入力する。
記憶部２５０は、ハードディスクや半導体メモリー等の記憶装置であって、制御部２３０で実行されるＯＳやアプリケーションプログラムを格納する。
【００１７】
図３はプロジェクター３００の機能を示す。プロジェクター３００は一般的なプロジェクターであって、ＰＣ２００の指示の下、映像を表示面５００に投写する。
プロジェクター３００は、検出部３１０、選択部３２０、通信部３３０、画像処理部３４０、投写部３５０、モード設定部３６０、計時部３７０、記憶部３８０を含む。
【００１８】
検出部３１０は、指示体４００の位置を監視し、指示体４００によって表示面５００上の位置が指定されると、指示体４００の操作内容を示す指示体情報Ｄｐを生成する。指示体情報Ｄｐには当該位置の座標が含まれる。具体的には、検出部３１０は、光源および光センサを備え、可視光や赤外光を表示面５００に向けて照射し、反射光を受信して解析することにより、指示体４００の存在およびその位置を特定する。あるいは、指示体４００が無線送信機能を有するデバイスである場合、指示体４００からの電波を受信し、受信強度等に基づいて表示面５００内の指示体４００の位置を決定してもよい。生成された指示体情報Ｄｐは、逐次、選択部３２０に供給される。
【００１９】
モード設定部３６０は、指示体４００の操作内容の処理に関するモードについて、第１のモード（描画モードという）と第２のモード（マウスモードという）のうちのいずれか一方を指定する。描画モードとは、指示体４００をアノテーションを描画するための入力デバイスとして機能させるモードである。マウスモードとは、指示体４００を描画以外の操作（アノテーション以外の画像の変更に関係する操作）に用いるモードであって、入力内容をＰＣ２００に引き渡すモードである。この指定や指定の変更は、ユーザーが指示体４００を用いて所望のタイミングで行うことができる。具体的には、検出部３１０から供給される指示体情報Ｄｐがモードの切替えを示すか否かを判定し、切替えである場合は、切替え後のモードを示す信号を選択部３２０および描画制御部３４２に出力する。
【００２０】
選択部３２０は、モード設定部３６０から供給されるモード情報Ｓｍに基づいて、指示体情報Ｄｐを通信部３３０または描画部３４１のいずれか一方のみに出力する。出力先の選択はモード情報Ｓｍに基づいて決定される。具体的には、描画モードの場合は描画部３４１に出力され、マウスモードの場合は通信部３３０に出力される。この結果、描画モードが選択されている場合には指示体４００にて指定された位置に点などの図形が描画され、マウスモードである場合は当該指定位置における描画は行われず、当該位置の座標が、ＰＣ２００にて起動する第１画像ＩＭ１の描画を担うアプリケーションに引き渡されて、該引き渡し先のアプリケーションで規定されている動作（例えばページの切替えやウィンドウのスクロールなど）が実行される。
【００２１】
通信部３３０は通信インターフェースであって、選択部３２０から出力された指示体情報ＤｐをＰＣ２００に送信する一方、ＰＣ２００から受信した第１画像ＩＭ１を描画部３４１に供給する。
【００２２】
画像処理部３４０は、描画部３４１および描画制御部３４２を含む。描画部３４１は、指示体情報Ｄｐに基づいて第２画像ＩＭ２を生成し、通信部３３０から供給された第１画像ＩＭ１と該生成された第２画像ＩＭ２とを合成する。合成された画像を表す映像信号が、描画部３４１から投写部３５０に出力される。また、描画制御部３４２から供給される制御信号Ｓｄに基づいて、第２画像ＩＭ２の消去や第１画像ＩＭ１および第２画像ＩＭ２の記憶を行う。
【００２３】
描画制御部３４２は、制御信号Ｓｄを描画部３４１に出力する。制御信号Ｓｄには、第２画像ＩＭ２の消去の実行に関する命令または第１画像ＩＭ１および第２画像ＩＭ２の記憶に関する命令が含まれる。具体的には、描画制御部３４２は、モード設定部３６０から供給されるモード情報Ｓｍを監視し、マウスモードと描画モードとの間で切替えがあった場合に、第２画像ＩＭ２の消去命令を制御信号Ｓｄに内包させる。加えて、描画制御部３４２は、計時部３７０から供給された時間情報Ｉｔに基づいて、第２画像ＩＭ２の消去命令を内包させてもよい。なお、第１画像ＩＭ１および第２画像ＩＭ２の記憶は、個別に行われる。すなわち、合成後の画面を表す一つのデータを記憶しておくのではなく、第１画像ＩＭ１および第２画像ＩＭ２のそれぞれが独立して事後的に利用できる形で記憶部３８０に保存される。
【００２４】
投写部３５０は、光源（レーザーなど）、レンズ、ミラー、プリズム等の投写機構、各色に対応する液晶パネルなどの光学素子を含み、光源からの光を映像信号に基づいて変調する変調機構、変調された光を投写機構へ導く光学系によって実現される。
【００２５】
計時部３７０は、任意の時点からの経過時刻をカウントして描画制御部３４２に供給する。
記憶部３８０は、半導体メモリーやハードディスク等の記憶装置であって、プロジェクター３００の起動時に画像処理部３４０にて実行され、後述する、第１画像ＩＭ１と第２画像ＩＭ２との合成表示に関する動作を実現するためのプログラムが記憶される。加えて、記憶部３８０には、必要に応じて第１画像ＩＭ１および第２画像ＩＭ２を個別に保存し、後に再利用することができる。
【００２６】
図４はプロジェクター３００の動作例（その１）を示す。描画モードが選択され（Ｓ１０２、ＹＥＳ）、その後マウスモードへ変更されたことが検出されると（Ｓ１０４、ＹＥＳ）、画像処理部３４０は、現在表示されている第２画像ＩＭ２があれば、それらを全て消去する（Ｓ１０６）。
【００２７】
図５は、画面ＳＣの例を示す。画面ＳＣはＰＣ２００で所定のアプリケーションを起動させた場合に表示される。画面ＳＣには、第１画像ＩＭ１、第２画像ＩＭ２、操作パネルＩＭ３が含まれる。この例では、第１画像ＩＭ１は表計算ソフトの実行画面であって、ここにユーザーが所望する箇所をマークするための描いた画像オブジェクト（円）が合成表示されている。
【００２８】
操作パネルＩＭ３は、指示体４００の入力機能を指定するためのものであり、第１画像ＩＭ１や第２画像ＩＭ２の内容とは無関係に、描画部３４１によって、画面ＳＣ上に常に表示される画像オブジェクトである。具体的には、操作パネルＩＭ３内の各位置は各機能と対応づけられており、ユーザーは指示体４００を用いて操作パネルＩＭ３内の位置を指定することで、所望の入力機能を指定する。より具体的には、操作パネルＩＭ３は、描画内容の属性ないし詳細（ペンの色や線種等）を指定する機能を有する。加えて、操作パネルＩＭ３には、所定位置をタッチすることによって、マウスモード（2）と描画モード（1）とを切替える機能を有する。また、操作パネルＩＭ３は、一度描画された第２画像ＩＭ２を消去・修正する機能（消しゴム機能）も備える。
【００２９】
今、ユーザーは描画モードを指定して上側の図に示すように第２画像ＩＭ２を描画した後、「(2)」をタッチしてマウスモードに切替えると、下側の図のように、第２画像ＩＭ２が自動的に消去される。
【００３０】
従来技術では、ユーザーは消去したい第２画像ＩＭ２があった場合は、消しゴム機能を有効にするための操作パネルＩＭ３のタッチ操作を指示体４００で行い、消去対象（オブジェクト単位、ドット単位、領域単位など）を指示体４００で指定していた。例えば第２画像ＩＭ２をドット単位で消去する場合は、複数の第２画像ＩＭ２が描画されていると、消去に手間がかかっていた。
【００３１】
これに対し、上記実施例においては、ユーザーが明示的に第２画像ＩＭ２を削除する動作を行うことなく、操作モードの切替えを契機として表示されている全ての第２画像ＩＭ２が自動的に削除されるので、この後に第１画像ＩＭ１に変更が発生したとしても不要なアノテーションが残らない。このように、上記実施例によればユーザーがアノテーションの消去に係る手間が省ける。特に、プロジェクター３００を用いてプレゼンテーションを行う場合、貴重な公演時間のうちアノテーションの削除操作に費やされる時間が減るばかりでなく、プレゼンテーション自体に集中することができる。
【００３２】
なお、この自動的消去の時刻がユーザーの意図に反するものである可能性は低い。なぜなら、入力モードを切替えるということは、通常、描画操作を完了して、これから描画以外の操作を行う（ことによって第１画像ＩＭ１の内容が変更する蓋然性が極めて高い）場合であると把握される。換言すると、上記実施例では、ユーザーの操作を先読み（推測）して、明示的な消去操作が行われるのを待たずに消去を実行しているといえる。
【００３３】
＜変形例＞
図６は、プロジェクター３００の動作の他の例を示す。描画モードからマウスモードへ変更されたことを検知すると（Ｓ２０２、ＹＥＳ）、表示中の画面を保存、すなわち第１画像ＩＭ１と第２画像ＩＭ２とが合成された画面をキャプチャーする（Ｓ２０４）。
その後、マウスモードから描画モードへ変更があったことを検知すると（Ｓ２０６、ＹＥＳ）、その時点で表示されている画像とＳ２０４で保存した画像とを比較する（Ｓ２０８）。すなわち、マウスモードになった状態で第１画像ＩＭ１の内容に変化があったか否かを判定する。
【００３４】
比較の結果、差異があった場合（すなわち第１画像ＩＭ１の内容に変化があった場合）（Ｓ２１０、ＹＥＳ）、第２画像ＩＭ２を消去する（Ｓ２１４）。この際、削除に先立ち、第１画像ＩＭ１および第２画像ＩＭ２を関連付けて、別個の画像ファイルとして、保存してもよい（Ｓ２１２）。
差異がなかった場合（すなわち第１画像ＩＭ１の内容に変化がなかった場合）は（Ｓ２１０、ＮＯ）、Ｓ２０４で保存した画像を削除する（Ｓ２１６）。
【００３５】
図７は図６の動作例に対応する画面ＳＣの例を示す。描画モードにて第２画像ＩＭ２が描画され、第１画像ＩＭ１（old）に第２画像ＩＭ２が合成表示された状態になり（上図）、この状態でマウスモードに切替わったタイミングで、第１画像ＩＭ１（old）と第２画像ＩＭ２の合成画面が保存される。その後、描画モードへ切り替わったタイミングで画面の比較が行われる。この時、操作によって第１画像ＩＭ１（old）が第１画像ＩＭ１（new）に変更されていたとする。このとき、合成画像｛第１画像ＩＭ１（old）＋第２画像ＩＭ２｝と合成画像｛第１画像ＩＭ１（new）＋第２画像ＩＭ２｝とが比較されることになる。ここで、操作モードの間は第２画像ＩＭ２の内容が変化することはないので、第１画像ＩＭ１の画面の変化を判定していることと等価である。第１画像ＩＭ１が変更されていると判定すると、図７の下図のような、第２画像ＩＭ２が自動消去された、画面が表示される。
【００３６】
この動作例では、描画モードからマウスモードに切替わっても、表示されている第２画像ＩＭ２を無条件に消去するのではなく、実際に第１画像ＩＭ１が更新されたことが確認された場合に自動消去を実行する。よって、ユーザーが描画モードからマウスモードに切替えたにも関わらず、実質的な操作がなされなかった場合や、なされた操作が第１画像ＩＭ１の変更とは関係ない操作である場合のように、第２画像ＩＭ２を消去する必然性がない場合にまで消去が実行されてしまうことが防止される。
【００３７】
図８は、第１画像ＩＭ１および第２画像ＩＭ２の保存を概念的に示す。同図に示すように、第１画像ＩＭ１と第２画像ＩＭ２とは別の画像ファイルとして保存される。合成画像を事後的に編集する（アノテーション自体の形状や位置を変更するなど）ことが容易である。
【００３８】
図９はプロジェクター３００の動作例（その３）を示す。描画モードからマウスモードへの変更を検知する（Ｓ３０２、ＹＥＳ）、表示中の画面を保存する（Ｓ３０４）。加えて、マウスモードに変更されてからの経過時間の計測を開始する（Ｓ３０６）。経過時間が所定値に達していない場合は（Ｓ３０６、ＮＯ）、図６の動作と同様、マウスモードから描画モードに変更されたことを監視し（Ｓ３０８）、当該変更を検知すると（Ｓ３０８、ＹＥＳ）、図６のＳ２０８と同様、第１画像ＩＭ１に変更があったか否かをチェックする（Ｓ３１０）。ここで、モードの切替えが検知されてなくても所定期間が経過した場合（Ｓ３０６、ＹＥＳ）は、第１画像ＩＭ１の変更をチェックする（Ｓ３１０）。
【００３９】
Ｓ３１０のチェックの結果、第１画像ＩＭ１が変更されたことを確認した場合（Ｓ３１２、ＹＥＳ）、第２画像ＩＭ２を削除する（Ｓ３１８）。続いて、チェック用に保存してあった画像を削除し（Ｓ３２２）、タイマーをリセットした後（Ｓ３２４）、再びマウスモードへの切替えを監視する（３０２）。
第１画像ＩＭ１が変更されておらず、且つ描画モードのままである場合（Ｓ３１４、ＮＯ）、第２画像ＩＭ２の消去を行うことなく、チェック用に保存したあった画像を削除し（Ｓ３２２）、タイマーをリセットした後（Ｓ３２４）マウスモードへの切替えを監視する（Ｓ３０２）。第１画像ＩＭ１に更新がなかった場合で、その後描画モードからマウスモードへの切替えを検知すると（Ｓ３１４、ＹＥＳ）、タイマーをリセットし（Ｓ３２０）、経過時間の監視（Ｓ３０６）および描画モードへの切替えの監視（Ｓ３０８）を合わせて実行する処理に再び戻る。
【００４０】
このように、マウスモードへの切替えが行われた後、第１画像ＩＭ１が更新されることなく所定期間が経過した場合にも、マウスモードが終了した場合には、第１画像ＩＭ１をチェックして第２画像の消去を実行できるようにする。その理由は、長い間マウスモードのままであった場合、何らかの操作が行われ、その結果としてマウスモード終了の際には第１画像ＩＭ１が変更されている可能性が高いので、このタイミングで第１画像ＩＭ１の変化のチェックを実行する実益があるからである。
【００４１】
なお、所定時間経過後に、マウスモードの終了判定やその後の第１画像ＩＭＩに対する比較ステップ（Ｓ３０８〜Ｓ３１４）を省略し、第２画像を消去してもよい。要するに、マウスモードへの切替えがあってから所定時間経過した場合は、無条件に第２画像を消去する。マウスモードに切替えてから所定時間が経過した場合は、何らかの操作が行われて第１画像の内容が変化している可能性が高いので、第２画像を削除する合理性があるからである。
【００４２】
指示体の操作内容の処理に関するモードの数や各モードの定義は、上述した例に限られない。要は、ユーザーは明示的な消去操作を行うことなく、指示体の操作内容の処理に関する設定（換言すると、操作内容をどのような処理に反映させるのかを指定する情報）がユーザーによって切替えられたことを契機として、重ねて表示された画像の消去の実行の可否を判定する。要するに、本発明は、モードの切替え（およびこれに加えてモードの持続時間）に基づいて、ユーザーが第２画像ＩＭ２を消去する操作を行う蓋然性を合理的に推定し、推定結果に基づいて第２画像ＩＭ２を自動的に消去するか否かを判定する。
【００４３】
一台のプロジェクターに複数台の画像供給元としてのコンピューターを接続した場合に、重ねて表示された画像の自動消去を行う条件として、指示体によるモードの切替えの検知に替えて、または当該検知に加えて、画像供給元がユーザーによる切替えを検知したことを用いてもよい。モードの切替えのチェックと設定されたモードの持続時間によるチェックとを組み合わせる場合、各チェックを実行する順序や組み合わせ方は、上述した動作例に限られない。
【００４４】
本発明の制御方法を適用する対象の表示装置の表示機構やＰＣとの接続の形式は、上述の例に限定されない。例えば、プロジェクターが第１画像ＩＭ１を生成する機能を有していもよい。換言すると、上述のＰＣ２００の機能とプロジェクター３００の機能とが一つのハードウェアによって、本発明の表示システムが実現されてもよい。この場合、投写機能を省略する替わりにＰＣ２００の表示部２６０に指示体４００を検出する機能を設け、ユーザがＰＣの画面上で指示体４００を用いて位置を指定することによって、ＰＣ２００の画面上にアノテーションを描画するようにしてもよい。
【００４５】
換言すると、本発明に係る表示システムは、画像供給部と、前記画像供給部から画像データを入力する入力部と、前記指示体の位置を検出し、該検出した位置に関する情報を含む指示体情報を生成する検出部と、前記指示体情報の処理に関するモードを第１モードまたは第２モードに設定する設定部と、該入力された画像データに基づいて生成される第１画像に、前記指示体情報に基づいて生成される第２画像を重ねて描画する描画部と、前記第１モードが設定されている場合には前記指示体情報を前記描画部に出力する一方、前記第２モードが設定されている場合には前記指示体情報を前記画像供給装置に出力する選択部と、前記第１モードから前記第２モードへの切替えが行われると前記第２画像を消去する描画制御部とを有していればよい。そして、この描画部は、第１画像を供給する装置に設けられてもよいし、当該コンピューターとは別体の装置に設けられてもよい。
【符号の説明】
【００４６】
１００・・・表示システム、２００・・・ＰＣ、２６０・・・表示部、２２０・・・入力部、２１１・・・送信部、２１２・・・受信部、２３０・・・制御部、２５０・・・記憶部、２４０・・・画像処理部、３００・・・プロジェクター、３１０・・・検出部、３２０・・・選択部、３３０・・・通信部、３５０・・・投写部、３４０・・・画像処理部、３４１・・・描画部、３４２・・・描画制御部、３７０・・・計時部、３６０・・・モード設定部、３８０・・・記憶部、４００・・・指示体、５００・・・表示面
【図１】
0006488653.tif 000002
【図２】
0006488653.tif 000003
【図３】
0006488653.tif 000004
【図４】
0006488653.tif 000005
【図５】
0006488653.tif 000006
【図６】
0006488653.tif 000007
【図７】
0006488653.tif 000008
【図８】
0006488653.tif 000009
【図９】
0006488653.tif 000010